(57)【要約】【課題】データセンタに登録されたブックマーク情報に基づいて、リコメンド情報を提供できるシステムにあって、ユーザにとって有用なリコメンド情報を提供する。【解決手段】ナビゲーション装置２とスマートフォン３との連携により、お気に入りの施設に関するブックマーク情報を生成し、スマートフォン３からデータセンタ５に送信する。データセンタ５では、送信されたブックマーク情報を、データベースに登録し、蓄積・記憶する。ブックマーク情報には、ユーザの利用頻度に応じた重み付け情報、ユーザの特性を示すユーザ情報が付加される。データセンタ５は、スマートフォン３における目的地検索実行時に、データベースに記憶されているブックマーク情報に基づいて、利用頻度が少ないユーザを除外したコメンド情報を生成しスマートフォン３に送信する。【選択図】図１
2014119804.tif 000002
【特許請求の範囲】
【請求項１】
車両に設けられ設定された目的地までの経路案内機能を有するナビゲーション装置と、
車両のユーザが所持するものであって、前記ナビゲーション装置と相互に連携するための接続手段を備えると共に、ネットワークを介して外部サイトに接続して目的地となる施設情報を取得する目的地検索機能を有する携帯通信端末と、
前記ネットワークに接続され、前記目的地となる施設に関するブックマーク情報をユーザ単位で記憶するデータベースを備えると共に、当該データベースのブックマーク情報に基づいてリコメンド情報を生成するリコメンド情報生成手段を備えるデータセンタとを含み、
前記携帯通信端末又は前記ナビゲーション装置における目的地検索実行時に、前記データセンタから前記リコメンド情報を該携帯通信端末に提供することが可能に構成された車両用情報提供システムであって、
前記携帯通信端末は、ブックマーク情報を前記ネットワークを介して前記データセンタに送信するブックマーク情報送信手段を備え、そのブックマーク情報には、ユーザの利用頻度に応じた重み付け情報、及び、当該ユーザの特性を示すユーザ情報が付加されるように構成され、
前記データセンタは、前記携帯通信端末から送信されたブックマーク情報を前記データベースに蓄積記憶すると共に、
前記リコメンド情報生成手段は、前記目的地周辺の指定されたカテゴリの施設に関して、前記データベースから、前記重み付け情報及びユーザ情報を加味してブックマーク情報を抽出することにより、前記リコメンド情報を生成することを特徴とする車両用情報提供システム。
【請求項２】
前記携帯通信端末の目的地検索機能の実行により検索された施設、或いは、前記ナビゲーション装置により車両の到着が検出された施設を、前記ブックマーク情報として自動で設定登録するブックマーク情報設定手段を備えることを特徴とする請求項１記載の車両用情報提供システム。
【請求項３】
前記ブックマーク情報に付加される重み付け情報は、当該ブックマーク情報の施設に関するユーザの利用頻度を点数で表すように構成され、前記ナビゲーション装置により当該施設に対する車両の到着が検出された際に、前記重み付け情報の点数が自動で加算されることを特徴とする請求項１又は２記載の車両用情報提供システム。
【請求項４】
前記リコメンド情報生成手段は、前記データベースのブックマーク情報から、前記重み付け情報に応じて、検索カテゴリの施設の利用頻度が少ないユーザのブックマーク情報を除外して前記リコメンド情報を生成することを特徴とする請求項１から３のいずれか一項に記載の車両用情報提供システム。
【請求項５】
前記ユーザ情報は、ユーザの年齢、性別に加えて、車両でのユーザの行動中心位置を含むことを特徴とする請求項１から４のいずれか一項に記載の車両用情報提供システム。
【請求項６】
前記リコメンド情報生成手段は、前記データベースのブックマーク情報から、前記リコメンド情報を提供すべきユーザの現在地或いは目的地の周辺に、前記行動中心位置が存在するユーザのブックマーク情報を抽出して前記リコメンド情報を生成することを特徴とする請求項５記載の車両用情報提供システム。
【請求項７】
前記ユーザ情報は、ユーザの年齢、性別に加えて、車両の車種クラス情報を含むことを特徴とする請求項１から６のいずれか一項に記載の車両用情報提供システム。
【請求項８】
前記リコメンド情報生成手段は、前記データベースのブックマーク情報から、前記リコメンド情報を提供すべきユーザの車種クラスと、前記車種クラス情報が共通するユーザのブックマーク情報を抽出して前記リコメンド情報を生成することを特徴とする請求項７記載の車両用情報提供システム。
【発明の詳細な説明】
【技術分野】
【０００１】
本発明は、目的地に関するブックマーク情報を記憶するデータベースを備えるデータセンタから、ナビゲーション装置と連携する携帯通信端末にリコメンド情報を提供することが可能に構成された車両用情報提供システムに関する。
【背景技術】
【０００２】
従来より、車載ナビゲーション装置においては、利用者が気に入った施設等の地点の情報（ブックマーク情報）を、お気に入り地点情報メモリに記憶できるようにしたものがあった。さらに、例えば特許文献１には、複数の車載ナビゲーション装置の車載通信機と、情報センタとを通信手段を介して通信可能にし、お気に入り地点情報を複数の利用者間で共有するようにした車載ナビゲーション装置を含むシステムが開示されている。このシステムでは、情報センタに施設情報メモリ及びお気に入り地点情報メモリを設け、各車両の車載ナビゲーション装置からブックマーク情報を情報センタに送信してお気に入り地点情報メモリに登録し、それらブックマーク情報を、利用者がカテゴリ等を選別してリコメンド情報として自在に読み出すことができるようになっている。
【先行技術文献】
【特許文献】
【０００３】
【特許文献１】特開２００６−１３３１８２号公報（図１）
【発明の概要】
【発明が解決しようとする課題】
【０００４】
しかしながら、上記した従来のシステムでは、各ブックマーク情報（お気に入り地点情報）の施設等に関して、どれくらいの利用頻度があるのかは加味されていなかった。つまり、利用者がその施設等を何度も利用している場合に限らず、利用者がたまたま一度だけ利用した場合でも、お気に入り地点情報として同様に登録されていた。そのため、お気に入り地点情報メモリに登録されたお気に入り地点情報（ブックマーク情報）の重要度に関しての考慮はなされないので、情報センタからリコメンド情報の提供を受けるユーザにとっては、必ずしも有用な情報が得られるとは限らなかった。
【０００５】
本発明は上記事情に鑑みてなされたものであり、その目的は、データセンタに登録されたブックマーク情報に基づいて、リコメンド情報を提供できるようにしたシステムにあって、ユーザにとって有用なリコメンド情報を提供することを可能とした車両用情報提供システムを提供するにある。
【課題を解決するための手段】
【０００６】
上記目的を達成するために、本発明の車両用情報提供システムは、ナビゲーション装置と、それと連携可能な携帯通信端末と、ネットワークに接続されたデータセンタとを含み、前記携帯通信端末又はナビゲーション装置における目的地検索実行時に、前記データセンタから、登録されたブックマーク情報に基づいて、リコメンド情報を提供できるようにしたシステムであって、前記携帯通信端末は、ブックマーク情報をネットワークを介して前記データセンタに送信するブックマーク情報送信手段を備え、そのブックマーク情報には、ユーザの利用頻度に応じた重み付け情報、及び、当該ユーザの特性を示すユーザ情報が付加されるように構成され、前記データセンタは、前記携帯通信端末から送信されたブックマーク情報をデータベースに蓄積記憶すると共に、リコメンド情報生成手段は、目的地周辺の指定されたカテゴリの施設に関して、前記データベースから、前記重み付け情報及びユーザ情報を加味してブックマーク情報を抽出することにより、前記リコメンド情報を生成するところに特徴を有する。
【０００７】
これによれば、携帯通信端末のブックマーク情報送信手段により、特定の施設に関する情報をブックマーク情報としてデータセンタに送信し、ユーザ単位のブックマーク情報として、データセンタのデータベースに登録・記憶させることができる。このとき、データベースのブックマーク情報には、ユーザの利用頻度に応じた重み付け情報、及び、当該ユーザの特性を示すユーザ情報が付加されるようになる。
【０００８】
そして、携帯通信端末又はナビゲーション装置における目的地検索実行時に、リコメンド情報生成手段により生成されたリコメンド情報がデータセンタから携帯通信端末に提供される。その際、リコメンド情報生成手段は、目的地周辺の指定されたカテゴリの施設に関して、データベースに登録されたブックマーク情報から、上記重み付け情報及びユーザ情報を加味してブックマーク情報を抽出することにより、リコメンド情報を生成する。
【０００９】
従って、利用頻度の高いブックマーク情報を、リコメンド情報としてユーザに提供することができると共に、利用したユーザの特性を示すユーザ情報が加味された情報を提供することができる。この結果、ユーザにとって有用なリコメンド情報を提供することが可能となる。
【図面の簡単な説明】
【００１０】
【図１】本発明の一実施例を示すもので、システムの全体構成を概略的に示す図
【図２】ナビゲーション装置の電気的構成を概略的に示すブロック図
【図３】スマートフォンの電気的構成を概略的に示すブロック図
【図４】データセンタにおける電気的構成を概略的に示すブロック図
【図５】ブックマーク情報の項目の具体例を示す図
【図６】ブックマーク情報の生成の第１の手法を説明するための図
【図７】ブックマーク情報の生成の第２の手法を説明するための図
【図８】スマートフォンにおけるブックマーク情報の生成の処理手順を示すフローチャート（ａ）及びナビゲーション装置におけるブックマーク情報の同期の処理手順を示すフローチャート（ｂ）
【図９】ナビゲーション装置におけるブックマーク情報の重み値の加算の処理手順を示すフローチャート
【図１０】ナビゲーション装置におけるブックマーク情報の生成の処理手順を示すフローチャート
【図１１】スマートフォンからデータセンタに対するブックマーク情報の送信の処理を説明するための図
【図１２】スマートフォンからデータセンタに対するブックマーク情報の送信の処理手順を示すもので、スマートフォンにおける処理（ａ）及びデータセンタ側における処理（ｂ）を夫々示すフローチャート
【図１３】ナビゲーション装置からスマートフォンへのブックマーク情報の送信の処理手順を示すもので、ナビゲーション装置における処理（ａ）及びスマートフォンにおける処理（ｂ）を夫々示すフローチャート
【図１４】リコメンド情報の生成の際のユーザの選別の手法を説明するための図
【図１５】リコメンド情報の生成の際のリコメンド情報の選定の手法を説明するための図
【図１６】リコメンド情報の生成及び送信の処理手順を示すもので、スマートフォン側の処理（ａ）及びデータセンタ側の処理（ｂ）を夫々示すフローチャート
【発明を実施するための形態】
【００１１】
以下、本発明の一実施例について、図面を参照しながら説明する。まず、図１は、本実施例に係る車両用情報提供システム１の全体構成を概略的に示している。このシステム１は、自動車等の車両Ａ（図６、図７参照）内に設けられるナビゲーション装置２、車両Ａのユーザ（乗員）が所持する携帯通信端末としてのスマートフォン３、このスマートフォン３とネットワークとしてのインターネット４を介して接続可能な、データセンタ５及び外部サーバ６等を備えて構成されている。
【００１２】
前記外部サーバ６には、サービスプロバイダが開設するサイトが設けられ、ＰＯＩ（Point Of Interest）情報の検索、つまり目的地となる施設情報の検索のサービスを提供するようになっている。前記スマートフォン３は、インターネット４を介して外部サーバ６のサイトに接続し、施設情報を取得する目的地検索機能を備えている。尚、本実施例にいう「施設」には、単なる場所等も含まれ、要するに目的地となるべき地点全般を含む概念である。
【００１３】
前記ナビゲーション装置２と車両Ａ内に持込まれたスマートフォン３との間は、連携アプリケーション（例えば「ＮａｖｉＣｏｎ」サービス）によって連携可能とされ、例えば、Ｂｌｕｅｔｏｏｔｈ（登録商標）方式の無線通信により接続される。これにより、前記スマートフォン３が取得した施設等の目的地情報（ＰＯＩ情報）を、ナビゲーション装置２に転送して目的地として設定すること等が可能とされる。尚、ナビゲーション装置２とスマートフォン３との間の接続は、Ｂｌｕｅｔｏｏｔｈ方式に限らず、無線ＬＡＮ（ＷｉＦｉ）や、有線（ＵＳＢ、ＨＤＭＩ等）を用いても良い。
【００１４】
前記ナビゲーション装置２は、図２に示すように、制御装置７と、その制御装置７に接続された、記憶部８、表示装置９、操作スイッチ１０、音声出力装置１１、接続装置１２、自機位置検出手段１３等を備えている。また、ナビゲーション装置２（制御装置７）は、車両２内のＣＡＮ（Ｃａｒ  Ａｒｅａ  Ｎｅｔｗｏｒｋ）１４に接続され、車両Ａ内に配設された各種センサ１５や図示しない各種ＥＣＵ（電子制御ユニット）からの各種車両情報を収集することが可能とされている。前記各種センサ１５には、速度センサや加速度センサなどが含まれる。
【００１５】
前記制御装置７は、ＣＰＵ、ＲＯＭおよびＲＡＭなどを有するコンピュータを主体として構成されており、ＲＯＭなどに記憶されているプログラムにしたがってナビゲーション装置置２の全体を制御する。また、上記したように、制御装置７は、スマートフォン３と連携して作動する連携アプリケーションの実行が可能とされている。前記記憶部（車載データベース）８は、ナビゲーション装置２で実行される各種のアプリケーションや、ナビゲーション機能に用いる地図データ等を記憶している。このとき、後述するように、本実施例では、記憶部８には、ナビゲーション装置２で自動生成されたブックマーク情報も記憶されるようになっている（図７参照）。
【００１６】
前記表示装置９は、例えばカラー表示可能な液晶表示器や有機ＥＬ表示器あるいはプラズマディスプレイなどにより構成され、例えば車室内のインストルメントパネルの中央部に設けられている。この表示装置９の画面には、例えば、メニュー画面やナビゲーション機能使用時の地図画面（図１参照）、後述するリコメンド情報を表示する画面などが表示される。前記操作スイッチ１０は、表示装置９の画面上に設けられたタッチパネル及び前記表示装置９の周囲に配置されたメカ式のスイッチを含んで構成されている。タッチパネルには、感圧方式、電磁誘導方式、静電容量方式、それらを組合せた方式等があるが、いずれを用いても良い。
【００１７】
前記音声出力装置１１は、スピーカ等を含んで構成され、楽曲やガイド音声などの出力を行う。前記接続装置１２は、上記したように、例えば、Ｂｌｕｅｔｏｏｔｈ（登録商標：以下「ＢＴ」と略す）による無線通信方式により、スマートフォン３との間で通信を行うものである。前記自機位置検出手段１３は、ＧＰＳユニットやジャイロセンサなどを有しており、自機位置（自車両Ａの位置）を検出する。尚、ＧＰＳユニット等により自機位置を検出する手法については周知であるので、ここでは詳細な説明は省略する。
【００１８】
これにて、ナビゲーション装置２（制御装置７）は、周知のように、自車位置を道路地図と共に表示装置９の画面に表示するロケーション機能や、ユーザが指定した目的地までの適切なルートを探索し、案内するルートガイダンス機能などのナビゲーション処理を実行する。この際、後述するように、データセンタ５から得られたリコメンド情報を表示装置９の画面に表示させ、そのリコメンド情報の施設の中から目的地（経由地）を設定したりすることができる。またこのとき、操作スイッチ１０の操作により、特定の条件でリコメンド情報を絞り込む（フィルタをかける）ことも可能とされている。
【００１９】
一方、前記スマートフォン３は、手持ち操作可能な矩形パネル状の本体内に、図３に示すように、制御装置１６と、その制御装置１６に接続された、接続装置１７、記憶部１８、表示部１９、操作スイッチ２０、音声入出力装置２１、通信装置２２等を備えている。制御装置１６は、図示しないＣＰＵ、ＲＯＭおよびＲＡＭなどを有するコンピュータを主体に構成されており、ＲＯＭ等に記憶されているプログラムに従ってスマートフォン３の全体を制御する。また、上記のように、制御装置１６は、ナビゲーション装置２と連携して作動する連携アプリケーション（ＮａｖｉＣｏｎ）の実行が可能である。
【００２０】
前記接続装置１７は、前記ナビゲーション装置２との間で通信を行う。本実施例では、上記したようにＢＴによる無線通信方式を採用しており、スマートフォン３は、ナビゲーション装置２とＢＴ接続される。これにて、接続手段が構成される。前記記憶部１８（ローカルストレージ）は、電話帳データや楽曲などを記憶しているとともに、スマートフォン３にて実行される各種のアプリケーションや、ユーザが保存したデータ（図６に示すブックマーク情報）等が記憶されている。
【００２１】
前記表示部１９は、例えばカラー表示可能な液晶表示器や有機ＥＬ表示器などにより構成され、その画面には、例えば電話帳データや例えば記憶部１８に記憶されている画像や映像などが表示される。また、表示部１９の画面には、外部サーバ６から得られたＰＯＩ（施設）検索情報や、データセンタ５から得られたリコメンド情報等も表示される。前記操作スイッチ２０は、表示装部１９の画面上に設けられているタッチパネル、及び、表示装置１９の周囲に配置された接触式のスイッチなどにより構成されている。尚、前記タッチパネルとしては、上記と同様に、感圧方式、電磁誘導方式、静電容量方式、それらを組合せた方式等があるが、いずれを用いても良い。
【００２２】
前記音声入出力部２１は、図示しないマイクおよびスピーカを有しており、通話時の発話音声の入力および受話音声の出力を行う。また、音声入出力部２１は、例えば記憶部１８に記憶されている楽曲や映像の音声などの出力なども行う。前記通信装置２２は、公衆回線網やネットワーク（インターネット４）へ接続する広域通信を行う。通信装置２２は、通話やインターネット４との間のデータの送受信などを行う。このとき、上記のように、前記スマートフォン３は、インターネット４を介して外部サーバ６のサイトに接続し、目的地とする施設情報（ＰＯＩ情報）を取得する周知の目的地検索機能を備えている。この場合、詳しい説明は省略するが、目的地検索は、ユーザが行きたい地域や、施設のカテゴリ（種別）を指定することに基づいて行われる。
【００２３】
前記データセンタ５は、図４に示すように、サーバ２３と、そのサーバ２３に接続された、データベース２４、通信装置２５等を備えている。前記サーバ２３は、図示しないＣＰＵ、ＲＯＭ及びＲＡＭなどを有するコンピュータを主体に構成されており、各種の処理の実行、タスクスケジュール、通信などの制御を行う。前記データベース２４には、前記スマートフォン３から送信されるブックマーク情報を、ユーザ単位で記憶・蓄積するようになっている。前記通信装置２５は、インターネット４に接続して前記スマートフォン３との間でデータの送受信などを行うものである。
【００２４】
詳しくは後述するように、前記サーバ２３は、スマートフォン３（又はナビゲーション装置２）における目的地検索実行時に、前記データベース２４に記憶されているブックマーク情報に基づいて、リコメンド情報、即ち推奨する施設情報を生成し、前記スマートフォン３に送信するようになっている。従って、サーバ２３が、リコメンド情報生成手段としての機能を備えている。
【００２５】
さて、本実施例の車両用情報提供システム１にあっては、上記したように、ナビゲーション装置２とスマートフォン３との連携により、特定の施設に関するブックマーク情報を生成し、そのブックマーク情報をスマートフォン３からデータセンタ５に送信することができる。データセンタ５では、送信されたブックマーク情報を、データベース２４に登録し、蓄積・記憶する。
【００２６】
このとき、詳しくは次の作用説明（フローチャート説明）でも述べるように、ブックマーク情報には、施設等の名称及び位置情報に加えて、ユーザの利用頻度に応じた重み付け情報、及び、当該ユーザの特性を示すユーザ情報が付加されるように構成されている。特に本実施例では、前記ユーザ情報には、ユーザの年齢（１０代、２０代、３０代、…といった年齢層）、性別（男女）に加えて、車両Ａでのユーザの行動中心位置が含まれ、更に、車両Ａの車種クラス情報が含まれる。この車種クラス情報とは、車両Ａのクラスを車体や排気量等で区分するものであり、例えば、大型車（ミニバン等３ナンバーの車両）、普通車（５ナンバー）、軽乗用車の３段階に区分される。
【００２７】
また、本実施例では、上記ブックマーク情報が自動で生成される。この場合、スマートフォン３の目的地検索機能の実行により検索された施設の情報、及び、前記ナビゲーション装置２により車両Ａの到着が検出された施設（目的地）の情報が、前記スマートフォン３からデータセンタ５に対しブックマーク情報として自動で送信され、設定登録される。従って、スマートフォン３の制御装置１６が、ブックマーク情報設定手段として機能する。このとき、上記ブックマーク情報に付加される重み付け情報は、当該ブックマーク情報の施設等に関するユーザの利用頻度を点数（重み値）で表すように構成され、ナビゲーション装置２により当該目的地に対する車両Ａの実際の到着が検出された際に、重み付け情報の点数が自動で加算される。
【００２８】
そして、データセンタ５（サーバ２３）は、リコメンド情報を生成するにあたって、目的地周辺における指定されたカテゴリの施設等に関して、前記データベース２４から、前記重み付け情報及びユーザ情報を加味してブックマーク情報を選別するようになっている。より具体的には、データベース２４のブックマーク情報から、前記重み付け情報に応じて、検索カテゴリの利用頻度の少ないユーザを除外してリコメンド情報を生成する。これと共に、本実施例では、データセンタ５（サーバ２３）は、データベース２４のブックマーク情報から、リコメンド情報を提供すべきユーザの現在地或いは目的地と、行動中心位置が共通するユーザのブックマーク情報を抽出してリコメンド情報を生成する。
【００２９】
尚、データセンタ５のサーバ２３がリコメンド情報を生成する（或いは、ナビゲーション装置２又はスマートフォン３で表示する）際に、ブックマーク情報中のユーザの年齢、性別、車種クラス情報等から、前記リコメンド情報にフィルタをかけることができ、例えば、リコメンド情報を受けるユーザと、車種クラスが一致するユーザのブックマーク情報を抽出するといったことが可能となる。ユーザの年齢や性別を指定してリコメンド情報を生成することも可能となる。
【００３０】
次に、上記構成の作用について、図５〜図１６も参照して説明する。ここでは、上記車両用情報提供システム１における、（Ａ）ブックマーク情報の生成、（Ｂ）ブックマーク情報のデータセンタへの送信、（Ｃ）リコメンド情報の生成、の各処理について、以下、順に説明する。
【００３１】
（Ａ）ブックマーク情報の生成
まず、図５〜図１０を参照してブックマーク情報の生成の処理について述べる。ここで、図５は、本実施例において、データベース２４に登録・記憶されデータセンタ５が管理するユーザ毎のブックマーク情報におけるユーザ情報の項目、収集先及び収集方法の具体例を示している。即ち、ユーザ情報には、ユーザの年齢（何十代か）、性別、及び行動中心位置が含まれる。
【００３２】
そのうちユーザの年齢及び性別の情報は、ナビゲーション装置２から収集することができ、この場合、例えば車両Ａの購入時に車両用のキーに内蔵されたメモリに年齢、性別を登録しておき、ＡＣＣオン時に、ナビゲーション装置２がその情報を取得することに基づいて収集することが可能となる。或いは、アプリケーションを利用し、例えばユーザが、スマートフォン３を操作して性別、年齢を入力するようにしても良い。前記行動中心位置とは、そのユーザが車両Ａを利用する際の行動の中心としている位置（緯度、経度）の情報であり、例えばユーザの自宅の駐車場等が行動中心位置に該当する。このデータは、ＡＣＣオン時に、ナビゲーション装置２が取得した位置情報に基づいて、最も集中する場所（緯度、経度）を行動中心位置として収集することができる。
【００３３】
また、ブックマーク情報には、ブックマーク（ユーザのお気に入りの施設等）の名称や住所などの情報、そのブックマークの位置情報（緯度、経度）、そのブックマーク情報が作成された日付け情報が含まれている。そして、前記車種クラス情報は、車両Ａを例えば排気量の大きいものからクラスＡ、Ｂ、Ｃの３段階に区分するもので、これも、車両Ａの購入時に車両用のキーに内蔵されたメモリに登録しておき、ＡＣＣオン時に、ナビゲーション装置２がその情報を取得することに基づいて収集することが可能となる。
【００３４】
さて、本実施例では、ブックマーク情報を生成する手法として、「スマートフォン３からインターネット４を介して検索した地点を元にブックマーク情報を作成（エントリ）する」場合（図６参照）と、「車両Ａで実際に立寄った地点を自動でブックマーク情報とする」場合（図７参照）との、２つのケース（順に第１、第２の手法という）がある。
【００３５】
即ち、図６は、前者の「スマートフォン３から検索した地点をブックマーク情報としてエントリする」場合（第１の手法）を模式的に示している。スマートフォン３において、連携アプリケーション（ＮａｖｉＣｏｎ）を実行することにより、行きたいカテゴリの施設等の目的地（ＰＯＩ）情報を、インターネット４を介して外部サーバ６から検索することができる。この場合、カテゴリとは、例えば、コンビニ、レストラン、ガソリンスタンド、公共施設、商業施設、宿泊施設等の、施設の区分をいう。
【００３６】
そして、検索した施設情報を、ブックマーク情報として記憶部１８に保存（登録）することができる。このとき、上記のように各ブックマーク情報には重み付け情報（重み値）が付加されるのであるが、登録（エントリ）時には０点、その後、目的地としてナビゲーション装置２で使用する毎に、１点ずつ加算される。
【００３７】
図７は、後者の「車両Ａで実際に立寄った地点を自動でブックマーク情報とする」場合（第２の手法）を模式的に示している。ここで、ナビゲーション装置２の記憶部８に記憶されたブックマーク情報（施設の名称や位置情報等）は、例えばスマートフォン３と接続状態になった際に、予めスマートフォン３の記憶部１８に記憶されたブックマーク情報と同期しておくものとする。この場合、スマートフォン３から取得する情報はブックマーク情報のみとし、重み値については同期しない。
【００３８】
この手法では、まず、車両ＡがＡＣＣオフになった際に、ナビゲーション装置２は、自機位置検出手段１３により検出された自機位置に最も近い施設等（ＰＯＩ）を抽出する。次いで、抽出したＰＯＩ（図７では、コンビニ−Ｂショップ駅前店を例示）が、記憶部８内のブックマーク情報に存在するかどうかを確認する。抽出したＰＯＩが、記憶部８内のブックマーク情報に存在しない場合には、エントリを追加して重み値（点数）を１点にする。また、記憶部８内のブックマーク情報に既に存在している場合には、そのブックマーク情報の重み値に１点加算する。
【００３９】
図８（ａ）のフローチャートは、上記したブックマーク生成の第１の手法に関して、スマートフォン３の制御装置１６が実行する処理手順を示している。図８（ｂ）のフローチャートは、スマートフォン３からブックマーク情報が送信された場合（図８（ａ）のステップＳ６）に、ナビゲーション装置２の制御装置７が実行するブックマーク情報の同期に関する処理手順を示している。
【００４０】
また、図９のフローチャートは、スマートフォン３のＰＯＩ検索によって目的地が設定された場合の、ナビゲーション装置２の制御装置７が実行するブックマーク情報の重み値の加算についての処理手順を示している。さらに、図１０のフローチャートは、スマートフォン３との連携に関係なく、ナビゲーション装置２の制御装置７が実行するブックマーク情報の生成についての処理手順を示している。
【００４１】
即ち、図８（ａ）において、まずステップＳ１にて、スマートフォン３の接続装置１７と、ナビゲーション装置２の接続装置１２との間でＢＴ接続が行われ、ステップＳ２にて、連携アプリケーション（ＮａｖｉＣｏｎ）が起動されることにより、スマートフォン３とナビゲーション装置２との連携が可能となる。尚、このときには、図８（ｂ）に示すように、車両ＡにおいてＡＣＣオン（ステップＳ１１）され、ナビゲーション装置２が起動されている（ステップＳ１２）ことにより、連携が可能となる。
【００４２】
次のステップＳ３では、インターネット４を介した施設等の目的地（ＰＯＩ）検索が行われる。この検索は、スマートフォン３の操作スイッチ２０を操作して、行きたい地域やカテゴリ等の条件を指定することに基づいて行われる。ステップＳ４では、検索された施設（ＰＯＩ）をブックマークとして追加（登録）するかどうかが判断される。この判断は、ブックマーク情報として追加するかどうかを、ユーザが指定操作するようにしても良いし、それ以外にも、例えば目的地として設定されたものを自動的に追加するようにしても良い。ブックマーク情報として追加しない場合には（ステップＳ４にてＮｏ）、ステップＳ７に進む。  
【００４３】
ブックマーク情報として追加する場合には（ステップＳ４にてＹｅｓ）、ステップＳ５に進み、当該施設（ＰＯＩ）が、記憶部１８のブックマーク情報に既に登録されているかどうかが判断される。既に登録されている場合には（ステップＳ５にてＹｅｓ）、ステップＳ７に進む。未だ登録されていない場合には（ステップＳ５にてＮｏ）、ステップＳ６に進み、ブックマーク情報として記憶部１８に登録される。この場合、重み値は初期値である「０」とされる。また、ブックマーク情報の登録があると、後述（図８（ｂ）のフローチャート）のように、そのデータがナビゲーション装置２に送信される。
【００４４】
ステップＳ７では、検索した施設（ＰＯＩ）を、ナビゲーション装置２の経路案内の目的地として設定するかどうかが判断される。この判断も、ユーザが指定操作することに基づいて行われる。目的地として設定しない場合には（ステップＳ７にてＮｏ）、ステップＳ３に戻る。目的地として設定する場合には（ステップＳ７にてＹｅｓ）、次のステップＳ８で、ナビゲーション装置２に対し、その施設（ＰＯＩ）の情報が送信される。その後は、ステップＳ９にて、利用を継続するかどうかが判断され、継続する場合には（ステップＳ９にてＹｅｓ）、ステップＳ３に戻る。継続しない場合には（ステップＳ９にてＮｏ）、ステップＳ１０にて、連携アプリケーションの実行が停止され、そのまま処理が終了する。
【００４５】
次に、図８（ｂ）において、ナビゲーション装置２にあっては、車両ＡにおいてＡＣＣオン（ステップＳ１１）され、起動される（ステップＳ１２）ことにより、連携アプリケーションによってスマートフォン３とＢＴ接続され、スマートフォン３との連携が可能となる。この場合、スマートフォン３における上記ステップＳ６の処理により、新たに追加されたブックマーク情報が、ナビゲーション装置２に送信される。
【００４６】
ステップＳ１３では、スマートフォン３からブックマーク情報の送信があったかどうかが判断される。ブックマーク情報の送信があった場合には（ステップＳ１３にてＹｅｓ）、次のステップＳ１４にて、記憶部８内のブックマーク情報に、同一のエントリ（登録）が存在するかどうかが判断される。記憶部８内に同一のブックマーク情報が存在していなかった場合には（ステップＳ１４にてＮｏ）、ステップＳ１５にて、当該ブックマーク情報が新規に追加される。さらに、ステップＳ１６にて、そのブックマーク情報の重み値が「０」とされる。
【００４７】
次のステップＳ１７では、ＡＣＣオフが検出されたかどうかが判断される。ＡＣＣオフを検出すると（ステップＳ１７にてＹｅｓ）、ステップＳ１８にて、ナビゲーション装置２が停止される。ＡＣＣオフが検出されない場合（ステップＳ１７にてＮｏ）、あるいは、上記したステップＳ１３にてブックマーク情報の送信がなかった場合（ステップＳ１７にてＮｏ）、また、ステップＳ１４にて記憶部８内に同一のブックマーク情報が存在していた場合（ステップＳ１４にてＹｅｓ）には、ステップＳ１３からの処理を繰返す。
【００４８】
図９は、スマートフォン３における上記ステップＳ８の処理により、目的地の設定、送信があった場合における、ナビゲーション装置２（制御装置７）の処理手順を示している。この場合も、車両ＡにおいてＡＣＣオン（ステップＳ２１）され、ナビゲーション装置２が起動される（ステップＳ２２）ことにより、連携アプリケーションによってスマートフォン３とＢＴ接続され、スマートフォン３との連携が可能となる。
【００４９】
ステップＳ２３では、スマートフォン３から目的地の送信があったかどうかが判断される。目的地の送信があった場合には（ステップＳ２３にてＹｅｓ）、次のステップＳ２４にて、その目的地である施設へ向けての経路案内を実行する。ステップＳ２５では、目的地に到着したかどうかが判断され、到着していない場合には（ステップＳ２５にてＮｏ）、ステップＳ２４に戻り、車両Ａが目的地に到着するまで経路案内が継続される。
【００５０】
車両Ａが目的地である施設に到着した場合には（ステップＳ２５にてＹｅｓ）、ステップＳ２６にて、ブックマーク情報の重み値に１が加算される。この後、ステップＳ２７では、ＡＣＣオフが検出されたかどうかが判断される。ＡＣＣオフを検出すると（ステップＳ２７にてＹｅｓ）、ステップＳ２８にて、ナビゲーション装置２が停止される。ＡＣＣオフが検出されない場合（ステップＳ２７にてＮｏ）、あるいは、上記したステップＳ２３にて未だスマートフォン３から目的地の送信がなかった場合（ステップＳ２３にてＮｏ）には、ステップＳ２３からの処理を繰返す。
【００５１】
次に、図１０のナビゲーション装置２の処理においては、車両ＡにおいてＡＣＣオン（ステップＳ３１）され、ナビゲーション装置２が起動される（ステップＳ３２）と、次のステップＳ３３にて、ＡＣＣオフが検出されたかどうかが判断される。ＡＣＣオフが検出された場合には（ステップＳ３３にてＹｅｓ）、ステップＳ３４にて、自機位置検出手段１３により自車両Ａの位置情報が取得される。ステップＳ３５では、ナビゲーション装置の地図データから、現在の自機位置に最も近い施設等（ＰＯＩ）が抽出される。
【００５２】
次のステップＳ３６では、抽出したＰＯＩのカテゴリが、記憶部８内のブックマーク情報の中のカテゴリに一致するものがあるかどうかが判断される。一致するカテゴリが存在しない場合には（ステップＳ３６にてＮｏ）、ステップＳ４０に進み、ナビゲーション装置２が停止される。一致するカテゴリが存在する場合には（ステップＳ３６にてＹｅｓ）、次のステップＳ３７に進み、抽出したＰＯＩと同一のエントリが、記憶部８内のブックマーク情報の中に存在するかどうかが判断される。
【００５３】
記憶部８内に同一のブックマーク情報が存在していなかった場合には（ステップＳ３７にてＮｏ）、ステップＳ３８にて、当該ブックマーク情報が新規に追加される。さらに、ステップＳ３９にて、そのブックマーク情報の重み値が＋１だけ加算される。また、上記ステップＳ３７にて、抽出したＰＯＩと同一のエントリが記憶部８内のブックマーク情報に存在していた場合にも（Ｙｅｓ）、ステップＳ３９にて当該ブックマーク情報の重み値が＋１だけ加算される。この後、ステップＳ４０にて、ナビゲーション装置２が停止される。
【００５４】
上記した各処理により、ナビゲーション装置２の記憶部８及びスマートフォン３の記憶部１８には、ブックマーク情報が登録され記憶される。このブックマーク情報は、ナビゲーション装置２及びスマートフォン３で同期させることができる。そして、そのブックマーク情報には、重み付け情報が点数（重み値）で付加されるようになる。この重み値は、ユーザ（車両Ａ）が実際に当該ブックマーク情報の施設に実際に立ち寄った（利用した）頻度に応じた数値となる。
【００５５】
（Ｂ）ブックマーク情報のデータセンタへの送信
次に、図１１〜図１３を参照して、ブックマーク情報のスマートフォン３からデータセンタ５への送信の処理について述べる。図１１は、スマートフォン３からデータセンタ５にブックマーク情報を送信している様子を模式的に示している。本実施例では、例えば、スマートフォン３において連携アプリケーション（ＮａｖｉＣｏｎ）が起動されたときに、スマートフォン３の記憶部１８に記憶されたブックマーク情報が、インターネット４を介して送信される。
【００５６】
データセンタ５（サーバ２３）においては、各ユーザ（スマートフォン３）から受信したブックマーク情報を、データベース２４に蓄積、記憶する。この場合、データベース２４には、ブックマーク情報がユーザ単位で格納されるようになっている。データベース２４のブックマーク情報には、重み付け情報（重み値）や、上記したユーザ情報が付加されていることは勿論である。
【００５７】
図１２のフローチャートは、スマートフォン３からデータセンタ５にブックマーク情報を送信する際の処理手順を示すものであり、図１２（ａ）は、スマートフォン３（制御装置１６）の実行する処理手順、図１２（ｂ）は、データセンタ５のサーバ２３の実行する処理手順を夫々示している。即ち、まず図１２（ａ）において、ステップＳ４１にて、スマートフォン３とナビゲーション装置２との間でＢＴ接続が行われ、ステップＳ４２にて、連携アプリケーション（ＮａｖｉＣｏｎ）が起動される。
【００５８】
次のステップＳ４３では、前回のブックマーク情報の送信時から、ブックマーク情報に更新があるかどうかが判断される。このとき、新たにブックマーク情報のエントリがあった場合は勿論、重み値に変更があった場合にも更新があるとみなされる。更新がある場合には（ステップＳ４３にてＹｅｓ）、ステップＳ４４にて、ブックマーク情報がデータセンタ５に送信される。ステップＳ４５では、連携アプリケーションを停止するかどうかが判断され、停止する場合には（ステップＳ４５にてＹｅｓ）、ステップＳ４６にて連携アプリケーションが停止され、処理が終了される。連携アプリケーションを継続する場合には（ステップＳ４５にてＮｏ）、ステップＳ４３からの処理が繰返される。
【００５９】
次に、図１２（ｂ）において、まずステップＳ５１にてサーバ２３が起動されると、次のステップＳ５２にて、スマートフォン３からブックマーク情報の更新通知があるかどうかが判断される。更新通知があった場合には（ステップＳ５２にてＹｅｓ）、次のステップＳ５３にて、スマートフォン３からのブックマーク情報の受信が完了したかどうかが判断される。ブックマーク情報の受信が完了すると（ステップＳ５３にてＹｅｓ）、ステップＳ５４にて、受信したブックマーク情報に基づいてデータベース２４が更新される。
【００６０】
この後、ステップＳ５５では、サーバ２３を停止するかどうかが判断され、停止する場合には（ステップＳ５５にてＹｅｓ）、ステップＳ５６にてサーバ２３が停止され、処理が終了される。サーバ２３を継続して動作させる場合には（ステップＳ５５にてＮｏ）、ステップＳ５２からの処理が繰返される。
【００６１】
また、図１３のフローチャートは、上記図１２のスマートフォン３からデータセンタ５にブックマーク情報を送信する処理に先立ち、ナビゲーション装置２からスマートフォン３にブックマーク情報を送信する際の処理手順を示している。図１３（ａ）は、ナビゲーション装置２（制御装置７）の実行する処理手順、図１３（ｂ）は、スマートフォン３（制御装置１６）の実行する処理手順を夫々示している。
【００６２】
即ち、図１３（ａ）のナビゲーション装置２の処理において、車両ＡにおいてＡＣＣオン（ステップＳ６１）され、ナビゲーション装置２が起動される（ステップＳ６２）ことにより、連携アプリケーションによってスマートフォン３とＢＴ接続され、スマートフォン３との連携が可能となる。ステップＳ６３では、スマートフォン３に対して未送信のブックマーク情報が存在するかどうかが判断される。未送信のブックマーク情報がある場合には（ステップＳ６３にてＹｅｓ）、ステップＳ６４にて、ブックマーク情報がスマートフォン３に送信される。
【００６３】
この後、ステップＳ６６では、ＡＣＣオフが検出されたかどうかが判断される。ＡＣＣオフを検出すると（ステップＳ６６にてＹｅｓ）、そのまま終了する。ＡＣＣオフが検出されない場合（ステップＳ６６にてＮｏ）、あるいは、上記したステップＳ６３にて未送信のブックマーク情報が検出されていない場合（ステップＳ６３にてＮｏ）には、ステップＳ６３からの処理を繰返す。
【００６４】
図１３（ｂ）のスマートフォン３の処理においては、ステップＳ７１にて、スマートフォン３とナビゲーション装置２との間でＢＴ接続が行われ、ステップＳ７２にて、連携アプリケーション（ＮａｖｉＣｏｎ）が起動される。次のステップＳ７３では、ナビゲーション装置３からのブックマーク情報を受信したかどうかが判断される。ナビゲーション装置３からブックマーク情報を受信した場合には（ステップＳ７３にてＹｅｓ）、ステップＳ７４にて、記憶部１８のブックマーク情報が更新される。
【００６５】
この後、ステップＳ７５では、連携アプリケーションを停止するかどうかが判断され、停止する場合には（ステップＳ７５にてＹｅｓ）、ステップＳ７６にて連携アプリケーションが停止され、処理が終了される。これに対し、連携アプリケーションを継続する場合（ステップＳ７５にてＮｏ）、及び、上記ステップＳ７３にて、ナビゲーション装置３からのブックマーク情報を受信していない場合（Ｎｏ）には、ステップＳ７３からの処理が繰返される。
【００６６】
（Ｃ）データセンタにおけるリコメンド情報の生成
図１４〜図１６を参照しながら、データセンタ５におけるリコメンド情報の生成の処理について述べる。本実施例のシステム１にあっては、ユーザがスマートフォン３もしくはナビゲーション装置２で、目的地検索した際に、それに合わせて、データセンタ５において該当する検索カテゴリのリコメンド情報が生成され、リコメンド情報がデータセンタ５から該ユーザのスマートフォン３に対して送信される。スマートフォン３或いは連携するナビゲーション装置２において、受信したリコメンド情報を表示することができる。
【００６７】
本実施例では、データセンタ５（サーバ２３）において、ブックマーク情報が記憶されたデータベース２４からリコメンド情報を生成するにあたっては、「＜１＞リコメンド情報を抽出するユーザを選別する」、及び、「＜２＞そのユーザ群から抽出するデータ（ブックマーク情報）を選定する」の２つのステップで行われる。そのうち。１番目の「リコメンド情報を抽出するユーザの選別」の手法について、図１４を参照して述べる。
【００６８】
即ち、図１４（ａ）に示すように、まず、検索を実施しているユーザの現在地（出発地）Ｐの周辺、例えば半径１０ｋｍの円Ｃ１内を、行動中心位置としているユーザ（ユーザ群ａ）を抽出する。これと共に、ユーザの指定目的地Ｄの周辺、例えば半径１０ｋｍの円Ｃ２内を、行動中心位置としているユーザ（ユーザ群ｂ）を抽出する。これにより、リコメンド情報生成に利用するブックマーク情報の提供ユーザが、検索ユーザと比較的近い位置に住んでいるユーザ、及び、目的地の周辺の地元のユーザに絞り込まれる。
【００６９】
この後、ユーザ群ａ，ｂの個々のユーザについて、ブックマーク情報のデータをカテゴリ毎に重み値を加算し、上位のカテゴリ（カテゴリ別統計データ）を求める。ここでは、例えば上位３位までのカテゴリに、検索カテゴリが含まれているかどうかを判断し、検索カテゴリ（「コンビニ」を例示する）が、上位３位までに入ってないユーザを除去する。図１４（ｂ）に或るユーザの例を示し、このユーザにおいては、コンビニのカテゴリが重み値７で１位、レストランが２位、公共機関が３位となっている。これにより、リコメンド情報生成に利用するブックマーク情報のユーザが、更に、該当カテゴリを良く利用するユーザに絞り込まれる。
【００７０】
次に、２番目の「ユーザ群から抽出するデータの選定」について、図１５を参照して述べる。即ち、上記処理で選別されたユーザ群の各ブックマーク情報から、まず、検索カテゴリ（例えばコンビニ）のブックマーク情報のみを抽出すると共に、目的地周辺以外のブックマーク情報を除去する。そして、図１５（ａ）に示すように、選別されたユーザを、年齢層、性別、車種クラスでカテゴライズし、各カテゴリにおいて、夫々のユーザが持つブックマーク情報の重み値を加算し、各カテゴリで順位づけを行う。
【００７１】
これにて、図１５（ａ）に示したように、目的地周辺における、２０代男性が良く利用するコンビニ、２０代女性が良く利用するコンビニ、…７０代女性が良く利用するコンビニ、が抽出されるのである。この後、図１５（ｂ）に示すように、抽出された全てのブックマーク情報から、重み値の高いものが順に抽出されることにより、リコメンド情報が生成される。この場合、リコメンド情報については、所定個数に制限する、例えば上位１０位までに区切るなどの処理が可能である。
【００７２】
図１６のフローチャートは、上記したリコメンド情報の生成及び送信の処理手順を示しており、図１６（ａ）は、スマートフォン３（制御装置１６）における処理手順、図１６（ｂ）は、データセンタ５（サーバ２３）における処理手順を夫々示している。即ち、図１６（ａ）のスマートフォン３の処理において、ステップＳ８１にて、スマートフォン３とナビゲーション装置２との間でＢＴ接続が行われ、ステップＳ８２にて、連携アプリケーション（ＮａｖｉＣｏｎ）が起動される。
【００７３】
次のステップＳ８３では、インターネット４を介して目的地となる施設（ＰＯＩ）の検索が開始（実行）される。すると、次のステップＳ８４にて、データセンタ５に対して、リコメンド情報の要求が送信される。このとき、スマートフォン３からデータセンタ５に対し、位置情報（現在地及び目的地）や、検索カテゴリの情報が送信される。ステップＳ８５では、データセンタ５からリコメンド情報を受信したかどうかが判断される。
【００７４】
ここでは、データセンタ５からリコメンド情報を受信するまで待機される（ステップＳ８５にてＮｏ）。リコメンド情報を受信した場合には（ステップＳ８５にてＹｅｓ）、ステップＳ８６にて、ＰＯＩの検索結果に上記リコメンド情報が付加され、ステップＳ８７にて、リコメンド情報を含む検索結果が表示部１９に表示される。この後、ステップＳ８８では、連携アプリケーションを停止するかどうかが判断され、停止する場合には（ステップＳ８８にてＹｅｓ）、処理が終了される。連携アプリケーションを継続する場合（ステップＳ８８にてＮｏ）には、ステップＳ８３からの処理が繰返される。
【００７５】
図１６（ｂ）のデータセンタ５の処理においては、ステップＳ９１にてサーバ２３が起動されると、次のステップＳ９２にて、スマートフォン３からリコメンド情報の要求を受信したかどうかが判断される。リコメンド情報の要求があった場合には（ステップＳ９２にてＹｅｓ）、次のステップＳ９３にて、データベース２４のブックマーク情報のユーザの中から、検索ユーザの現在地の周辺に行動中心位置をもつユーザ（ユーザ群ａ）が抽出される。また、ステップＳ９４では、目的地の周辺に行動中心位置をもつユーザ（ユーザ群ｂ）が抽出される。
【００７６】
ステップＳ９５では、ユーザ群ａ，ｂの個々のユーザについて、ブックマーク情報のデータをカテゴリ毎に重み値を加算したカテゴリ別統計データが求められる。ステップＳ９６では、求めたカテゴリ別統計データ内の、上位（例えば３位以内）に、検索カテゴリが入ってないユーザが除外される。そして、次のステップＳ９７では、上記処理で選別されたユーザ群の各ブックマーク情報から、重み値を加算し、検索カテゴリの重み値の高いものを順に抽出することにより、リコメンド情報を生成する。
【００７７】
この後、ステップＳ９８にて、上記により生成されたリコメンド情報がスマートフォン３に対して送信される。ステップＳ９９では、サーバ２３を停止するかどうかが判断され、停止する場合には（ステップＳ９９にてＹｅｓ）、処理が終了される。サーバ２３を継続して動作させる場合（ステップＳ９９にてＮｏ）、また、上記ステップＳ９２にてスマートフォン３からリコメンド情報の要求を受信していない場合（ステップＳ９２にてＮｏ）には、ステップＳ９２からの処理が繰返される。
【００７８】
このように本実施例によれば、ナビゲーション装置２とスマートフォン３との連携が可能であり、データセンタ５に登録されたブックマーク情報に基づいて、リコメンド情報を提供できるようにしたシステム１にあって、スマートフォン３によってユーザのお気に入りの施設に関する情報をブックマーク情報としてデータセンタ５に送信し、ユーザ単位のブックマーク情報として、データセンタ５のデータベース２４に登録・記憶させることができる。
【００７９】
このとき、データベース２４のブックマーク情報には、ユーザの利用頻度に応じた重み付け情報、及び、当該ユーザの特性を示すユーザ情報が付加されるようになる。そして、スマートフォン３又はナビゲーション装置２における目的地検索実行時に、データセンタ５において生成されたリコメンド情報がデータセンタ５からスマートフォン３に対して提供される。その際、リコメンド情報は、目的地周辺の指定されたカテゴリの施設に関して、データベース２４に登録されたブックマーク情報から、上記重み付け情報及びユーザ情報を加味してブックマーク情報を抽出することにより生成される。
【００８０】
従って、本実施例によれば、利用頻度の高いブックマーク情報を、リコメンド情報としてユーザに提供することができると共に、利用したユーザの特性を示すユーザ情報が加味された情報を提供することができる。この結果、データセンタ５に登録されたブックマーク情報に基づいて、リコメンド情報を提供できるようにしたシステム１にあって、ユーザにとって有用なリコメンド情報を提供することが可能となるという優れた効果を得ることができる。
【００８１】
尚、上記実施例では、携帯通信端末として、スマートフォン３を例示したが、スマートフォン３に限らず、通信機能付きの携帯型機器であれば、携帯電話機やタブレット端末等であっても良い。また、リコメンド情報の生成の手法としても、車種クラス情報を用いて、同クラスのユーザのみを選別することも可能である。年齢や性別、車種クラスをユーザが指定して、リコメンド情報にフィルタをかけることも可能である。
【００８２】
その他、ユーザ情報には、車種クラス情報を必ずしも含んでいなくても良く、また、重み付け情報の重み値の加算の手法としても、ブックマーク情報の登録時に１点を加算する等の様々な手法を採用することが可能である等が、本発明は上記し且つ図面に示した一実施例に限定されるものではなく、要旨を逸脱しない範囲内で適宜変更して実施し得るものである。
【符号の説明】
【００８３】
図面中、１は車両用情報提供システム、２はナビゲーション装置、３はスマートフォン（携帯通信端末）、４はインターネット（ネットワーク）、５はデータセンタ、６は外部サーバ、７は制御装置（ブックマーク情報設定手段）、８は記憶部、９は表示装置、１０は操作スイッチ、１２は接続装置（接続手段）、１３は自機位置検出手段、１６は制御装置（ブックマーク情報生成手段、ブックマーク情報設定手段）、１７は接続装置（接続手段）、１８は記憶部、１９は表示部、２０は操作スイッチ、２２は通信装置（ブックマーク情報送信手段）、１３はサーバ（リコメンド情報生成手段）、２４はデータベース、２５は通信装置、Ａは車両を示す。
【図１】
2014119804.tif 000003
【図２】
2014119804.tif 000004
【図３】
2014119804.tif 000005
【図４】
2014119804.tif 000006
【図５】
2014119804.tif 000007
【図６】
2014119804.tif 000008
【図７】
2014119804.tif 000009
【図８】
2014119804.tif 000010
【図９】
2014119804.tif 000011
【図１０】
2014119804.tif 000012
【図１１】
2014119804.tif 000013
【図１２】
2014119804.tif 000014
【図１３】
2014119804.tif 000015
【図１４】
2014119804.tif 000016
【図１５】
2014119804.tif 000017
【図１６】
2014119804.tif 000018